(57)【要約】【課題】見栄えが良く、衣類から剥がす際に剥がし易い吸収性物品を提供すること。【解決手段】本発明の一実施形態である生理用ナプキン１は、表面シート２、裏面シート３及びこれら両シート２，３間に配された吸収体４を具備し、裏面シート３に衣類に固定する固定用部材５を具備する。縦方向（Ｙ方向）前方側の端縁部には、外方に突出した形状の中央部１１と、中央部１１の両側に外方に突出した形状の摘み部１２，１２とが形成されている。中央部１１の外周と各摘み部１２の外周とは、直線又は外方に凸の曲線が交差してＶ字状の窪み１３となって連接されている。平面視して、固定用部材５は全体で縦方向（Ｙ方向）に長い長方形状に形成されており、該長方形状の角５０ｂの二等分線ＩＬｂの延長線上に、各摘み部１２が配されている。【選択図】図２
2015051233.tif 000002
【特許請求の範囲】
【請求項１】
表面シート、裏面シート及びこれら両シート間に配された吸収体を具備し、該裏面シートの非肌対向面に衣類に固定する固定用部材を具備する縦長の吸収性物品であって、
縦方向前方側の端縁部には、横方向中央に外方に突出した形状の中央部と、該中央部の両側それぞれに外方に突出した形状の摘み部とが形成されており、
前記中央部の外周と各前記摘み部の外周とは、直線又は外方に凸の曲線が交差してＶ字状の窪みとなって連接されており、
前記吸収性物品を前記裏面シート側から平面視して、前記固定用部材は全体で該吸収性物品の縦方向に長い長方形状に形成されており、該長方形状の縦方向前方側の両角の二等分線の延長線上に、各前記摘み部が配されている吸収性物品。
【請求項２】
前記中央部及び各前記摘み部は、外方に凸に湾曲して突出した形状に形成されており、
前記中央部の外周と各前記摘み部の外周とは、外方に凸の曲線どうしが交差してＶ字状の窪みとなって連接されている請求項１に記載の吸収性物品。
【請求項３】
前記吸収性物品は、前記表面シートと前記吸収体とを圧縮して形成される圧搾溝を具備し、該圧搾溝は該吸収体の全周に亘って形成されており、
前記圧搾溝における、前記固定用部材の全体形状である長方形状の前記角の二等分線上の形状は、直線状又は内方に凸の曲線状である請求項１又は２に記載の吸収性物品。
【請求項４】
ＪＩＳ  Ｌ１０９６に準拠するハンドルオメータ法により測定した前記吸収体の剛軟性が５０ｇ／７５ｍｍより大きい場合には、前記固定用部材の全体形状である長方形状の縦方向前方側の両角が、前記吸収体の外周よりも外方に配されている請求項１〜３の何れか１項に記載の吸収性物品。
【請求項５】
ＪＩＳ  Ｌ１０９６に準拠するハンドルオメータ法により測定した前記吸収体の剛軟性が５０ｇ／７５ｍｍ以下の場合には、前記固定用部材の全体形状である長方形状の縦方向前方側の両角が、前記吸収体の外周上又は該外周よりも内方に配されている請求項１〜３の何れか１項に記載の吸収性物品。
【発明の詳細な説明】
【技術分野】
【０００１】
本発明は、生理用ナプキン、パンティーライナー（おりものシート）、失禁パッド等の吸収性物品に関する。
【背景技術】
【０００２】
一般的に、生理用ナプキンは、表面シート、裏面シート及びこれら両シート間に配された吸収体を具備しており、ショーツ等の衣類のクロッチ部に、裏面シートの非肌対向面に配された粘着剤等で固定して使用される（例えば、特許文献１,２）。このように使用される生理用ナプキンを衣類から剥がす際には、生理用ナプキンの先端部を持って剥ぐのが通常であるが、ショーツ等の衣類の種類、気候等の外的要因により非常に剥がし辛くなる場合がある。
【先行技術文献】
【特許文献】
【０００３】
【特許文献１】特開２０１０-１１５５５８号公報
【特許文献２】特開２０１３-２７５９８号公報
【発明の概要】
【発明が解決しようとする課題】
【０００４】
特許文献１に記載の生理用ナプキンは、該生理用ナプキンの先端部が凸状曲線と凹状曲線とが交互に配された波状に形成されており、見栄えが良いが、特許文献１には、生理用ナプキンを衣類から剥がす際に剥がし易い粘着剤等の形状・位置について何ら記載されていない。
【０００５】
また、特許文献２に記載の生理用ナプキンは、特許文献１に記載の生理用ナプキンと同様に、該生理用ナプキンの先端部が波状に形成されており、中央に位置する中央凸状曲線部と、該中央凸状曲線部の両側に凹状曲線部と、各凹状曲線部の外方に凸状曲線部とを備え、長手方向に長い複数条のズレ止め粘着剤層とを備えている。そして、特許文献２に記載の生理用ナプキンにおいては、前記ズレ止め粘着剤層が、前記中央凸状曲線部及び各前記凸状曲線部それぞれの位置に対応して配されており、該中央凸状曲線部及び各該凸状曲線部凸状部にて、捲れ難くなっている。しかし、このようにズレ止め粘着剤層が配されているため、逆に、生理用ナプキンを衣類から剥がす際に剥がし辛くなっている。
【０００６】
したがって本発明は、前述した従来技術が有する欠点を解消し得る吸収性物品を提供することにある。
【課題を解決するための手段】
【０００７】
本発明は、表面シート、裏面シート及びこれら両シート間に配された吸収体を具備し、該裏面シートの非肌対向面に衣類に固定する固定用部材を具備する縦長の吸収性物品であって、縦方向前方側の端縁部には、横方向中央に、縦方向外方に突出した形状の中央部と、該中央部の横方向両側それぞれに外方に突出した形状の摘み部とが形成されており、前記中央部の外周と各前記摘み部の外周とは、直線又は外方に凸の曲線が交差してＶ字状の窪みとなって連接されており、前記吸収性物品を前記裏面シート側から平面視して、前記固定用部材は全体で該吸収性物品の縦方向に長い長方形状に形成されており、該長方形状の縦方向前方側の両角の二等分線の延長線上に、各前記摘み部が配されている吸収性物品を提供するものである。
【発明の効果】
【０００８】
本発明によれば、吸収性物品を衣類から剥がす際に剥がし易く、また見栄えもよい。
【図面の簡単な説明】
【０００９】
【図１】図１は、本発明の一実施形態である生理用ナプキンを表面シート側から見た平面図である。
【図２】図２は、図１に示す生理用ナプキンを裏面シート側から見た平面図である。
【図３】図３は、図１のＩ−Ｉ線断面図である。
【発明を実施するための形態】
【００１０】
以下本発明をその好ましい実施形態に基づき図面を参照しながら説明する。
本実施形態の吸収性物品は、生理用ナプキンであり、本実施形態の生理用ナプキン１（以下、「ナプキン１」ともいう。）は、図１〜図３に示すように、表面シート２、裏面シート３及びこれら両シート２，３間に配された吸収体４を具備し、裏面シート３の裏面に衣類に固定する固定用部材５を具備する縦長のものである。
ナプキン１は、図１に示すように、ナプキン１の長手方向に延びる中心線ＣＬに対して左右対称に形成されている。
本明細書において、「肌対向面」とは、ナプキン１を構成する表面シート２などの各部材の表裏両面のうち、着用時に着用者の肌側に配される面であり、「非肌対向面」とは、ナプキン１を構成する表面シート２などの各部材の表裏両面のうち、着用時に着用者の肌側とは反対側に向けられる面である。
また、各図に示す「Ｙ方向」は、中心線ＣＬに平行な方向であり、ナプキン１の縦方向と同じ方向でもある。また各図に示す「Ｘ方向」は、中心線ＣＬに直交する方向であり、ナプキン１の横方向と同じ方向でもある。
【００１１】
本実施形態のナプキン１は、図１〜図３に示すように、液透過性の表面シート２、液難透過性の裏面シート３及びそれら２，３の間に配された吸収体４を具備する縦長の吸収性本体１０と、該吸収性本体１０の縦方向（Ｙ方向）に沿う両側部１０ｓから外方に延出する一対のウィング部６，６とを有している。
吸収性本体１０は、ナプキン１においては、図１，図２に示すように、ナプキン１の着用時に着用者の体液排泄部（膣口等）に当接する排泄部領域Ａ、ナプキン１の着用時に排泄部領域Ａよりも着用者の腹側に配される前方領域Ｂ、及びナプキン１の着用時に排泄部領域Ａよりも着用者の背中側に配される後方領域Ｃに区分される。一対のウィング部６，６は、吸収性本体１０の排泄対向領域Ａに形成されている。
【００１２】
吸収性本体１０の吸収体４は、図１，図２に示すように、前方領域Ｂから後方領域Ｃに亘って延在しており、平面視して、縦方向（Ｙ方向）の前後端部が外方に凸状に丸みを帯びた略長方形状を有している。
【００１３】
吸収性本体１０の表面シート２は、図１，図３に示すように、吸収体４の肌対向面の全面を覆っている。表面シート２の縦方向（Ｙ方向）の前後端部は、吸収体２の前後端部それぞれから縦方向（Ｙ方向）外方に延出している。表面シート２の縦方向（Ｙ方向）に沿う両側部は、縦方向（Ｙ方向）に沿って直線状に形成されている。表面シート２の縦方向（Ｙ方向）に沿う両側部は、吸収体４の両側部それぞれから横方向（Ｘ方向）外方に若干延出しているが、裏面シート３の側部よりは縦方向に延びる中心線ＣＬ寄りに配されている。即ち、表面シート２の側部は、吸収体４の側部と裏面シート３の側部との間に配されている。
【００１４】
吸収性本体１０の裏面シート３は、図２，図３に示すように、吸収体４の非肌対向面の全面を覆っている。裏面シート３の縦方向（Ｙ方向）の前後端部は、吸収体２の前後端部それぞれから縦方向（Ｙ方向）外方に延出している。裏面シート３の縦方向（Ｙ方向）に沿う両側部は、前方領域Ｂ及び後方領域Ｃにおいては、吸収性本体１０の輪郭と一致する輪郭を有しており、吸収性本体１０の排泄部領域Ａにおいては、前方領域Ｂ及び後方領域Ｃにおける吸収性本体１０の両側部の位置から横方向（Ｘ方向）外方に延出している。この裏面シート３の延出部分が、ウィング部６の形成材料となる。
【００１５】
また、ナプキン１においては、吸収性本体１０は、図１，図３に示すように、表面シート２、裏面シート３及び吸収体４以外に、一対のサイドシート７，７を備えている。一対のサイドシート７，７それぞれは、表面シート２の肌対向面側であって、表面シート２の縦方向（Ｙ方向）に沿う側部全域に亘って配設固定されている。吸収性本体１０のサイドシート７は、前方領域Ｂ及び後方領域Ｃにおいては、表面シート２の縦方向（Ｙ方向）に沿う側部から横方向（Ｘ方向）外方に若干延出しており、排泄部領域Ａにおいては、前方領域Ｂ及び後方領域Ｃの位置よりもさらに横方向（Ｘ方向）外方に延出している。このサイドシート７の延出部分と、上述した裏面シート３の延出部分とが、接着、融着等により固定されて、ウィング部６が形成される。このように形成されたナプキン１は、吸収性本体１０と一対のウィング部６，６とを有するようになる。尚、各サイドシート７は、例えば、その横方向（Ｘ方向）内方側（中心線ＣＬｙ側）の端部近傍に、縦方向（Ｙ方向）に伸長状態の弾性部材を配設固定して、着用時に、その弾性部材の収縮力により、前記端部から所定幅の部分が表面シート２から離間する立体ギャザーを形成するようにしてもよい。
【００１６】
ナプキン１は、図１，図２に示すように、縦方向（Ｙ方向）前方側の端縁部には、横方向（Ｘ方向）中央に、縦方向（Ｙ方向）外方に突出した形状の中央部１１と、中央部１１の横方向（Ｘ方向）両側それぞれに、外方に突出した形状の摘み部１２，１２とが形成されており、中央部１１の外周と各摘み部１２の外周とは、直線又は外方に凸の曲線が交差してＶ字状の窪み１３となって連接されている。詳述すると、上述のように表面シート２、裏面シート３、吸収体４及び一対のサイドシート７，７から形成された吸収性本体１０は、吸収体４の前方端縁よりもＹ方向外方の端縁部において、中心線ＣＬの位置にて縦方向（Ｙ方向）外方に凸に湾曲して突出した形状の中央部１１と、中央部１１の両側それぞれの位置にて外方に凸に湾曲して突出した形状の一対の摘み部１２，１２とを有している。この摘み部１２が、ナプキン１を衣類から剥がす際に摘まむ部分となる。尚、ナプキン１においては、縦方向（Ｙ方向）前方側の端縁部のみならず、縦方向（Ｙ方向）後方側の端縁部にも同様に、中央部１１及び一対の摘み部１２，１２が形成されている。なお、摘み部１２における「外方に凸に湾曲」とは、縦方向（Ｙ方向）外方、横方向（Ｘ方向）外方のいずれに凸に湾曲した形状でもよく、また、斜め方向外方に凸に湾曲した形状でも良い。図１のナプキン１は、斜め方向外方に凸に湾曲した形状である。
【００１７】
ナプキン１においては、上述のように、図１，図２に示すように、中央部１１が、縦方向（Ｙ方向）外方に凸に湾曲して突出した形状に形成されており、一対の摘み部１２，１２が、外方に凸に湾曲して突出した形状に形成されているので、中央部１１の外周と各摘み部１２の外周とは、外方に凸の曲線どうしが交差してＶ字状の窪み１３となって連接されている。このように、Ｖ字状の窪み１３は、内方に凸に湾曲する円弧を有さない形状に形成されている。即ち、ナプキン１の縦方向（Ｙ方向）前方側の輪郭が、外方に凸に湾曲する形状と内方に凸に湾曲する形状が連続する所謂波型形状ではなく、図１，図２に示すように、外方に凸の曲線どうしが連続する形状となっている。
【００１８】
尚、ナプキン１は、その縦方向（Ｙ方向）の長さが１７０ｍｍ〜３５０ｍｍ程度であり、前方領域Ｂにおける横方向（Ｘ方向）の長さ（最も広い箇所での長さ）が７０ｍｍ〜１００ｍｍ程度である。
【００１９】
ナプキン１において、縦方向（Ｙ方向）外方に凸に湾曲した中央部１１は、衣類に装着する時の摘み部として機能することが好ましいので、摘み易いある程度の大きさを有することが好ましく、また、外方に凸に湾曲した摘み部１２については、引き剥がし操作のし易さを考慮して、摘み易いある程度の大きさを有することが好ましい。
具体的には、中央部１１は、その幅が、前記前方領域Ｂにおける横方向（Ｘ方向）の長さの１８％以上６４％以下であることが好ましく、２０％以上６４％以下であることが更に好ましい。
また、各摘み部１２は、その幅が、前記前方領域Ｂにおける横方向（Ｘ方向）の長さの１８％以上４１％以下であることが好ましく、２０％以上４１％以下であることが更に好ましい。
さらに具体的には、外方に凸に湾曲した中央部１１の曲率半径は、１０ｍｍ以上１２０ｍｍ以下、かつ高さ５ｍｍ以上曲率半径以下であることが好ましく、１０ｍｍ以上７０ｍｍ以下かつ高さ８ｍｍ以上曲率半径以下であることが更に好ましい。また、外方に凸に湾曲した各摘み部１２の曲率半径は、１０ｍｍ以上４５ｍｍ以下、かつ高さ５ｍｍ以上曲率半径以下であることが好ましく、１０ｍｍ以上３２ｍｍ以下、かつ高さ８ｍｍ以上曲率半径以下であることが更に好ましい。
【００２０】
なお、図１及び２に示したナプキン１においては、中央部１１と各摘み部１２における曲率半径は略同じとなっているが、これに限定されない。例えば、中央部１１は、その曲率半径が、装着時の装着操作のし易さの観点、または、括れ部が装着中の違和感を与えにくいとの観点、更には、引き剥がし操作時に摘み部を所定方向へと引っ張り易くなるとの観点から、外方に凸に湾曲した各摘み部１２の曲率半径よりも大きくすることができる。この場合、各摘み部１２の曲率半径の１．２倍以上であることが更に好ましく、１．５倍以上であることが特に好ましい。
【００２１】
ナプキン１を衣類に固定する固定用部材５は、ナプキン１においては、裏面シート３の非肌対向面に接着剤を塗布して形成された接着剤層である。固定用部材５は、図２に示すように、ナプキン１を裏面シート３側から平面視して、固定用部材５全体でナプキン１の縦方向（Ｙ方向）に長い長方形状に形成されている。具体的には、ナプキン１においては、各固定用部材５が、横方向（Ｘ方向）に平行に延びて形成されており、固定用部材５が縦方向（Ｙ方向）に間隔を開けて複数配されている。このように複数配された固定部材５，５，５・・・が集まって、固定用部材５全体で縦方向（Ｙ方向）に長い長方形状に形成されている。
【００２２】
ナプキン１においては、図２に示すように、固定用部材５の全体形状である長方形状の縦方向（Ｙ方向）前方側の両角５０ｂ，５０ｂの二等分線ＩＬｂ，ＩＬｂの延長線上に、各摘み部１２が配されている。尚、ナプキン１においては、縦方向（Ｙ方向）前方側の一対の摘み部１２，１２のみならず、縦方向（Ｙ方向）後方側の一対の摘み部１２，１２も同様に、固定用部材５の全体形状である長方形状の縦方向（Ｙ方向）後方側の両角５０ｃ，５０ｃの二等分線ＩＬｃ，ＩＬｃの延長線上に配されている。
【００２３】
固定用部材５の全体形状である長方形状の縦方向（Ｙ方向）前方側の両角５０ｂ，５０ｂは、ＪＩＳ  Ｌ１０９６に準拠するハンドルオメータ法により測定した吸収体４の剛軟性が５０ｇ／７５ｍｍより大きい場合には、吸収体４の外周よりも外方に配されている。また、前記両角５０ｂ，５０ｂは、ＪＩＳ  Ｌ１０９６に準拠するハンドルオメータ法により測定した前記吸収体の剛軟性が５０ｇ／７５ｍｍ以下の場合には、吸収体４の外周上又は該外周よりも内方に配されている。尚、ナプキン１においては、吸収体４の剛軟性が前者に該当し、図２に示すように、前方側の両角５０ｂ，５０ｂが、吸収体４の外周よりも外方に配されている。吸収体４の剛軟性の値は、測定装置として、大栄化学精器製作所製、品番ＨＯＭ−３を使用し、スリッター幅は、１０ｍｍで求める。生理用ナプキンから取り出した７５ｍｍ×７５ｍｍの吸収体を用いて測定する。そして、該測定試料のＣＤ方向（Ｘ方向）について２回測定し、それらの平均値を、その吸収体の剛軟性の値として求める。
【００２４】
また、ナプキン１は、図１〜図３に示すように、表面シート２と吸収体４とを圧縮して形成される圧搾溝８を具備し、圧搾溝８は吸収体４の全周に亘って形成されている。図２に示すように、ナプキン１の圧搾溝８における、固定用部材５の全体形状である長方形状の角５０ｂの二等分線ＩＬｂ上の形状は、内方に凸の曲線状である。詳述すると、ナプキン１の圧搾溝８は、排泄部領域Ａにおいては、吸収性本体１０の両側部１０ｓ，１０ｓに縦方向（Ｙ方向）に沿って横方向（Ｘ方向）内方に（中心線ＣＬ側に）凸の曲線状に形成された側溝８ａ，８ａを有し、前方領域Ｂ及び後方領域Ｃにおいては、外方に凸の前方溝８ｂ及び後方溝８ｃを有している。そして、ナプキン１の圧搾溝８は、側溝８ａ，８ａの縦方向（Ｙ方向）前方端と前方溝８ｂの両端とを繋ぐ、内方に凸の曲線状の前方側凹状溝８ａｂ，８ａｂを有し、側溝８ａ，８ａの縦方向（Ｙ方向）後方端と後方溝８ｃの両端とを繋ぐ、内方に凸の曲線状の後方側凹状溝８ａｃ，８ａｃを有している。即ち、ナプキン１の圧搾溝８は、前方溝８ｂ、一対の前方側凹状溝８ａｂ，８ａｂ、一対の側溝８ａ，８ａ、一対の後方側凹状溝８ａｃ，８ａｃ及び後方溝８ｃが繋がって、吸収体４の全周に亘る環状の全周溝となっている。このような形状の圧搾溝８における前方側凹状溝８ａｂ，８ａｂが、固定用部材５の全体形状である長方形状の縦方向（Ｙ方向）前方側の角５０ｂの二等分線ＩＬｂ上に配されている。尚、ナプキン１においては、縦方向（Ｙ方向）前方側の一対の前方側凹状溝８ａｂ，８ａｂのみならず、縦方向（Ｙ方向）後方側の一対の後方側凹状溝８ａｃ，８ａｃも同様に、固定用部材５の全体形状である長方形状の縦方向（Ｙ方向）後方側の両角５０ｃ，５０ｃの二等分線ＩＬｃ，ＩＬｃ上に配されている。ナプキン１の圧搾溝８は、例えば、熱エンボス加工、又は超音波シール加工により形成されている。
【００２５】
また、ナプキン１においては、図１に示すように、その全周縁に亘って接合により形成された周縁シール部９を有している。具体的には、上述したように、表面シート２が吸収体４の肌対向面を被覆し、裏面シート３が吸収体４の非肌対向面を被覆し、一対のサイドシート７，７が表面シート２の縦方向（Ｙ方向）に沿う側部全域に亘って被覆しており、吸収体４の外周縁から延出するそれらシート２，３，７の延出部分が、熱エンボス加工、超音波シール加工又はホットメルト等の接着剤等によって接合されて周縁シール部９が形成されている。周縁シール部９は、ナプキン１の外周縁の輪郭に倣って、外周縁全周に亘って形成されている。
【００２６】
また、ナプキン１においては、吸収性本体１０を形成する吸収体４と裏面シート３との間、吸収体４と表面シート２との間、及びサイドシート７と裏面シート３との間は、例えばスパイラルパターン等のパターン塗工の接着剤によって接合されている。
また、表面シート２とサイドシート７とは、図１，図３に示すように、熱エンボス加工、又は超音波シール加工により融着されたシール部８１にて固定されている。シール部８１は、吸収性本体１０の両側部１０ｓ，１０ｓに、縦方向（Ｙ方向）に沿って延びて一対形成されている。各シール部８１は、排泄部領域Ａにおいては、横方向（Ｘ方向）外方に（中心線ＣＬとは反対側に）凸の曲線状に形成され、前方領域Ｂ及び後方領域Ｃにおいては、横方向（Ｘ方向）外方に（中心線ＣＬとは反対側に）凸の曲線と横方向（Ｘ方向）内方に（中心線ＣＬ側に）凸の曲線とが交互に繋がった波型形状に形成されている。
【００２７】
本実施形態のナプキン１の形成材料について説明する。
表面シート２、裏面シート３、吸収体４、サイドシート７としては、通常、生理用ナプキン等の吸収性物品において従来用いられている各種の材料などを特に制限なく用いることができる。
例えば、表面シート２としては、単層又は多層構造の不織布や、開孔フィルム等を用いることができる。裏面シート３としては、液難透過性又は撥水性の樹脂フィルムや樹脂フィルムと不織布の積層体等を用いることができる。吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したものや、各種公知のポリマーシート等を用いることができる。サイドシート７としては、伸縮性のフィルム、不織布、織物またはそれらの積層シート等を用いることができる。
【００２８】
固定用部材５を形成する接着剤としては、通常、生理用ナプキン等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。
【００２９】
上述した本発明の実施形態のナプキン１を使用した際の作用効果について説明する。
ナプキン１は、図１，図２に示すように、縦方向（Ｙ方向）前方側の端縁部には、横方向（Ｘ方向）中央に外方に突出した形状の中央部１１と、中央部１１の両側それぞれに外方に突出した形状の摘み部１２，１２とが形成されている。その為、見栄えが良い。また、使用後に、ショーツ等の衣類のクロッチ部に固定用部材５を介して固定されたナプキン１を剥がす際、ナプキン１の前方領域Ｂの摘み部１２を摘まんで引き剥がそうとすれば、摘み部１２が固定用部材５の全体形状である長方形状の縦方向（Ｙ方向）前方側の両角５０ｂ，５０ｂの二等分線ＩＬｂ，ＩＬｂの延長線上に配されているので、Ｖ字状の窪み１３の底点が起点となって、引き剥がす力が角５０ｂに集中し易く、固定用部材５が剥がれ易く、ナプキン１を衣類から剥がし易い。
【００３０】
また、ナプキン１は、図１，図２に示すように、縦方向（Ｙ方向）前方側の端縁部の中央部１１も一対の摘み部１２，１２も、外方に凸に湾曲して突出した形状に形成されている。その為、更にナプキン１の見栄えが良く、ショーツ等の衣類或いは着用者の肌に引っ掛かり難く、使用感が向上する。
【００３１】
また、ナプキン１は、図１，図２に示すように、ナプキン１の圧搾溝８における、固定用部材５の全体形状である長方形状の角５０ｂの二等分線ＩＬｂ上の形状（前方側凹状溝８ａｂ）が、内方に凸の曲線状である。その為、ナプキン１を剥がす場合、内方に凸の曲線の中心を起点にして両側に向かい持ち上がり易くなり、固定用部材５が更に剥がれ易く、ナプキン１を衣類から更に剥がし易い。
【００３２】
また、ナプキン１においては、吸収体４の剛軟性が所定の値より高く、図２に示すように、前方側の両角５０ｂ，５０ｂが、吸収体４の外周よりも外方に配されている。このように、吸収体４の剛軟性が所定の値より高く硬い場合には、前記引き剥がす力が、硬い吸収体４に達する前に、固定用部材５の全体形状の角５０ｂに達するので、吸収体４に影響されずに角５０ｂから固定用部材５が剥がれ易い。
【００３３】
なお、本実施形態のナプキン１は、前後端側では、周縁シール９が製品周縁まで至っておらず、窪み１３近傍にも周縁シールは存在しない。このため、摘み部１２を持って引き剥がし操作をする際に、引き剥がし力が一気に製品中央に向かって伝わることなく、一旦緩和されるので、窪み部１３等に力が集中してナプキンが裂けることを防止できる。更に、ナプキン１では、摘み部の中央部１１側に、側部側よりも広い周縁シール不存在部位が設けられているので、引き剥がし力が縦方向成分に集中することが避けられる。したがって、固定用部材５に対して斜め方向から力を及ぼし易く、ナプキン１が下着から引きはがされ易い。
【００３４】
また、摘み部１２，１２が、図１に示すように、斜め方向外方に凸の曲線であると、引き剥がし操作時に固定用部材５の角部に向かって力を及ぼし易くなるので好ましい。なお、「斜め方向外方に凸」とは、縦方向（Ｙ方向）外方及び横方向（Ｘ方向）外方いずれにも凸に湾曲した部分を有する形状のことである。
【００３５】
本発明は、上述した実施形態に何ら制限されるものではなく、適宜変更可能である。
例えば、上述したナプキン１の各Ｖ字状の窪み１３は、図１に示すように、中央部１１及び一対の摘み部１２，１２が、それぞれ、外方に凸に湾曲して突出した形状に形成されているので、外方に凸の曲線どうしが交差して形成されているが、中央部１１及び一対の摘み部１２，１２の内の少なくとも一方が、外方に凸に湾曲せずに多角形状に突出して形成されており、直線と外方に凸の曲線とが交差して形成されていてもよく、直線どうしが交差して形成されていてもよい。
【００３６】
また、ナプキン１においては、図１に示すように、縦方向（Ｙ方向）前方側の前方領域Ｂの端縁部のみならず、縦方向（Ｙ方向）後方側の後方領域Ｃの端縁部にも同様に、中央部１１及び一対の摘み部１２，１２が形成されているが、縦方向（Ｙ方向）前方側の端縁部にのみ、中央部１１及び一対の摘み部１２，１２が形成されていればよい。更に、ナプキン１においては、図２に示すように、前方領域Ｂの一対の摘み部１２，１２のみならず、後方領域Ｃの一対の摘み部１２，１２も同様に、固定用部材５の全体形状である長方形状の縦方向（Ｙ方向）後方側の両角５０ｃ，５０ｃの二等分線ＩＬｃ，ＩＬｃの延長線上に配されているが、前方領域Ｂの一対の摘み部１２，１２のみが、固定用部材５の全体形状である長方形状の縦方向（Ｙ方向）前方側の両角５０ｂ，５０ｂの二等分線ＩＬｂ，ＩＬｂの延長線上に配されていればよい。
【００３７】
また、ナプキン１においては、図１に示すように、ナプキン１を衣類に固定する固定用部材５が接着剤層であるが、他の係止手段からなる層であってもよい。また、ナプキン１においては、各固定用部材５が、横方向（Ｘ方向）に平行に延びて形成されており、固定用部材５が縦方向（Ｙ方向）に間隔を開けて複数配されて全体で縦方向（Ｙ方向）に長い長方形状に形成されているが、縦方向（Ｙ方向）に長い長方形状にベタ状に接着剤が塗工されて形成されていてもよく、各固定用部材５が、縦方向（Ｙ方向）に平行に延びて形成されており、固定用部材５が横方向（Ｘ方向）に間隔を開けて複数配されて全体で縦方向（Ｙ方向）に長い長方形状に形成されていてもよい。
【００３８】
また、ナプキン１は、図１〜図３に示すように、表面シート２と吸収体４とを圧縮して形成される圧搾溝８を具備しているが、圧搾溝８を具備していなくてもよい。また、圧搾溝８の全体形状が他の形状であってもよく、圧搾溝８における前方側凹状溝８ａｂ，８ａｂが、固定用部材５の全体形状である長方形状の縦方向（Ｙ方向）前方側の角５０ｂの二等分線ＩＬｂ上に配されていなくともよい。
【００３９】
本発明の吸収性物品は、生理用ナプキン以外にも、例えば、失禁者用パッド、パンティーライナー等に好適に用いることができる。
【符号の説明】
【００４０】
１  生理用ナプキン（吸収性物品）
１０  吸収性本体
１０ｓ  側部
２  表面シート
３  裏面シート
４  吸収体
５  固定用部材
５０ｂ，５０ｃ  固定用部材の全体形状である長方形状の角
６  ウィング部
７  サイドシート
８  圧搾溝
８１  シール部
９  周縁シール部
１１  中央部
１２  摘み部
１３  Ｖ字状の窪み
Ａ  排泄部領域
Ｂ  前方領域
Ｃ  後方領域
ＣＬ  縦方向に延びる中心線
【図１】
2015051233.tif 000003
【図２】
2015051233.tif 000004
【図３】
2015051233.tif 000005